(57)【要約】【課題】通信中に送信バッファが空になることを防止して無線リソースの割当変更頻度を減らし、伝送速度のスループットを向上させること。【解決手段】基地局装置１２において、タイミング情報算出部２２は、各送信バッファ４０が空になるタイミングを示すタイミング情報を算出する。パケットフロー制御部２６は、タイミング情報算出部２２より算出される各タイミング情報に基づいて、少なくとも１つの送信バッファ４０を選択し、当該選択した送信バッファに係る移動局装置宛ての伝送路におけるパケットフローを制御する。【選択図】図２
2007281541.tif 000002
【特許請求の範囲】
【請求項１】
複数の移動局装置それぞれと無線チャネルで通信を行う際に、伝送路を介して接続される他の各基地局装置から前記各移動局装置宛てに送信されるパケットを受信し、該受信したパケットを前記各移動局装置に関連付けて各送信バッファに蓄積するとともに、該各送信バッファに蓄積したパケットを前記各移動局装置に対して順次送信する基地局装置であって、
前記各送信バッファが空になるタイミングを示すタイミング情報を算出するタイミング情報算出手段と、
前記タイミング情報算出手段により算出される前記各タイミング情報に基づいて、少なくとも１つの前記送信バッファを選択し、該選択した送信バッファに係る移動局装置宛ての前記伝送路におけるパケットフローを制御するパケットフロー制御手段と、
を含むことを特徴とする基地局装置。
【請求項２】
請求項１に記載の基地局装置において、
前記タイミング情報算出手段は、
前記移動局装置毎に前記送信バッファに蓄積されたパケットのデータ量を取得する蓄積データ量取得手段を含み、
前記蓄積データ量取得手段により取得されるデータ量と該データ量の変化速度とに基づいて、前記タイミング情報を算出する、
ことを特徴とする基地局装置。
【請求項３】
請求項２に記載の基地局装置において、
前記タイミング情報算出手段は、
前記各移動局装置に対する前記無線チャネルにおけるパケットの伝送速度を取得する無線送信速度取得手段と、
前記各移動局装置に対する前記伝送路におけるパケットの伝送速度を取得する伝送路受信速度取得手段と、
をさらに含み、
前記データ量の変化速度は、前記無線送信速度取得手段により取得される伝送速度と前記伝送路受信速度取得手段により取得される伝送速度とに基づいて算出される、
ことを特徴とする基地局装置。
【請求項４】
請求項１乃至３のいずれかに記載の基地局装置において、
前記パケットフロー制御手段は、前記タイミング情報が所定値以上である少なくとも１つの送信バッファを選択し、該選択した送信バッファに係る移動局装置宛ての前記伝送路におけるパケットフローを制限する、
ことを特徴とする基地局装置。
【請求項５】
請求項１乃至４のいずれかに記載の基地局装置において、
前記パケットフロー制御手段は、前記タイミング情報が最大である送信バッファを選択し、該選択した送信バッファに係る移動局装置宛ての前記伝送路におけるパケットフローを制限する、
ことを特徴とする基地局装置。
【請求項６】
請求項４又は５に記載の基地局装置において、
前記パケットフロー制御手段は、前記選択した送信バッファを除く少なくとも１つの送信バッファについて、前記蓄積データ量取得手段により取得されるデータ量が所定量以上となった場合に、前記パケットフローの制限を解除する、
ことを特徴とする基地局装置。
【請求項７】
複数の移動局装置それぞれと無線チャネルで通信を行う際に、伝送路を介して接続される他の各基地局装置から前記各移動局装置宛てに送信されるパケットを受信し、該受信したパケットを前記各移動局装置に関連付けて各送信バッファに蓄積するとともに、該各送信バッファに蓄積したパケットを前記各移動局装置に対して順次送信する基地局装置の制御方法であって、
前記各送信バッファが空になるタイミングを示すタイミング情報を算出するタイミング情報算出ステップと、
前記タイミング情報算出ステップにおいて算出される前記各タイミング情報に基づいて、少なくとも１つの前記送信バッファを選択し、該選択した送信バッファに係る移動局装置宛ての前記伝送路におけるパケットフローを制御するパケットフロー制御ステップと、
を含むことを特徴とする基地局装置の制御方法。
【発明の詳細な説明】
【技術分野】
【０００１】
本発明は、基地局装置及び基地局装置の制御方法に関し、特に、有線区間及び無線区間におけるデータの伝送速度が動的に変化する基地局装置及び基地局装置の制御方法に関する。
【背景技術】
【０００２】
携帯電話やＰＨＳ（Personal Handy-phone System）等の移動体通信システムにおける基地局装置は、無線伝送路を介して移動局装置と接続され、ＩＳＤＮ（Integrated Service Digital Network）等の回線交換網或いはＩＰ（Internet Protocol）ネットワーク等の有線伝送路を介して他の基地局装置と接続されている。そして、有線伝送路を介して受信されるパケットを無線信号に変換し、当該無線信号を特定の移動局装置に送信する。また、移動局装置から送信される無線信号を受信してパケットに変換し、当該パケットを有線伝送路を介して特定の基地局装置に送信する。
【０００３】
一般に、有線伝送路の伝送速度は無線伝送路の伝送速度より高いことが多い。かかる伝送速度の違いを緩衝するために、基地局装置には、図５に示すように、無線リソース（時分割多重接続方式における無線スロット等）毎に、有線伝送路を介して受信されたパケットを一時的に蓄積しておく送信バッファが設けられている。そして、送信バッファがあふれるまでは送信バッファにパケットを蓄積し、送信バッファがあふれそうになると送信バッファに蓄積されるパケットが所定量未満になるまで有線伝送路におけるパケットフローを制限することによって、上記伝送速度の違いは調節される。
【０００４】
一方、図６に示す移動局装置Ａに係る通信では、データ送信が完了するか或いは送信データが規定量に達したため、有線伝送路からのパケット供給は停止され、対応する送信バッファＡは空となっている。そうすると、図７に示すように、移動局装置Ａは通信待ち状態に遷移し（Ｗａｉｔキューにキューイングされ）、送信バッファＡに係る無線リソース（無線スロットＡ）は、通信待ちの状態にあった（通常Ｒｅａｄｙキューにキューイングされていた）他の移動局装置Ｅに割り当てられる。
【０００５】
なお、下記特許文献１には、移動通信システムにおいて、データ転送制御装置に対して制御信号を送出してから当該無線ネットワーク制御装置から転送されるデータを受信するまでの往復遅延時間と、前記データを移動端末装置に転送する際の転送レートとに基づいて、当該無線ネットワーク制御装置からのデータ転送量を制御し、データ伝送のスループットを向上させるための技術が開示されている。この技術によれば、無線基地局装置におけるデータの蓄積量が所定量を超過した時に無線ネットワーク制御装置からのデータ転送を停止させ、データの蓄積量が所定量を下回った時にデータ転送を再開させることができるようになる。
【特許文献１】特開２００４−２００８８６号公報
【発明の開示】
【発明が解決しようとする課題】
【０００６】
しかしながら、図８に示すように、伝送速度の限られた有線伝送路が複数の移動体通信に係るパケット通信に共有されるような状況では、有線伝送路の伝送速度が無線伝送路の伝送速度を下回る場合がある。この場合、通信が継続中であるにも関わらず一時的に送信バッファが空となり、上記の通り、当該送信バッファに係る無線リソースが他の移動局装置に割り当てられることがある。しかも、かかる無線リソースの割当変更は、有線伝送路の伝送速度が当該無線リソースの伝送速度を上回るまで、頻繁に繰り返されることになる。無線リソースの割当てを変更する最中はデータ通信が行えないため、無線リソースの割当変更が頻発すると、データ伝送のスループットが大きく低下してしまうという問題があった。
【０００７】
本発明は、上記従来の課題に鑑みてなされたものであり、通信中に送信バッファが空になることを防止して無線リソースの割当変更頻度を減らし、データ伝送のスループットを向上させることができる基地局装置及び基地局装置の制御方法を提供することを目的とする。
【課題を解決するための手段】
【０００８】
上記目的を達成するために、本発明に係る基地局装置は、複数の移動局装置それぞれと無線チャネルで通信を行う際に、伝送路を介して接続される他の各基地局装置から前記各移動局装置宛てに送信されるパケットを受信し、該受信したパケットを前記各移動局装置に関連付けて各送信バッファに蓄積するとともに、該各送信バッファに蓄積したパケットを前記各移動局装置に対して順次送信する基地局装置であって、前記各送信バッファが空になるタイミングを示すタイミング情報を算出するタイミング情報算出手段と、前記タイミング情報算出手段により算出される前記各タイミング情報に基づいて、少なくとも１つの前記送信バッファを選択し、該選択した送信バッファに係る移動局装置宛ての前記伝送路におけるパケットフローを制御するパケットフロー制御手段と、を含むことを特徴としている。
【０００９】
また、本発明に係る基地局装置の制御方法は、複数の移動局装置それぞれと無線チャネルで通信を行う際に、伝送路を介して接続される他の各基地局装置から前記各移動局装置宛てに送信されるパケットを受信し、該受信したパケットを前記各移動局装置に関連付けて各送信バッファに蓄積するとともに、該各送信バッファに蓄積したパケットを前記各移動局装置に対して順次送信する基地局装置の制御方法であって、前記各送信バッファが空になるタイミングを示すタイミング情報を算出するタイミング情報算出ステップと、前記タイミング情報算出ステップにおいて算出される前記各タイミング情報に基づいて、少なくとも１つの前記送信バッファを選択し、該選択した送信バッファに係る移動局装置宛ての前記伝送路におけるパケットフローを制御するパケットフロー制御ステップと、を含むことを特徴としている。
【００１０】
本発明では、基地局装置において、各送信バッファが空になるタイミングを示すタイミング情報を算出する。そして、算出された各タイミング情報に基づいて、少なくとも１つの送信バッファを選択し、当該選択した送信バッファに係る移動局装置宛ての伝送路におけるパケットフローを制御する。本発明によれば、空になるタイミングの早い送信バッファを選択し、当該送信バッファに係る移動局装置宛てのパケットフローを加速することができる。或いは、空になるタイミングの遅い送信バッファを選択し、当該送信バッファに係る移動局装置宛てのパケットフローを制限することができる。これにより、送信バッファが空になることを防止して無線リソースの割当変更頻度を減らし、データ伝送のスループットを向上させることができる。
【００１１】
また、本発明の一態様では、前記タイミング情報算出手段は、前記移動局装置毎に前記送信バッファに蓄積されたパケットのデータ量を取得する蓄積データ量取得手段を含み、前記蓄積データ量取得手段により取得されるデータ量と該データ量の変化速度とに基づいて、前記タイミング情報を算出する。こうすれば、送信バッファに蓄積されたパケットのデータ量及びその変化速度に基づいて、送信バッファが空になるタイミングを算出できるようになる。
【００１２】
また、本発明の一態様では、前記タイミング情報算出手段は、前記各移動局装置に対する前記無線チャネルにおけるパケットの伝送速度を取得する無線送信速度取得手段と、前記各移動局装置に対する前記伝送路におけるパケットの伝送速度を取得する伝送路受信速度取得手段と、をさらに含み、前記データ量の変化速度は、前記無線送信速度取得手段により取得される伝送速度と前記伝送路受信速度取得手段により取得される伝送速度とに基づいて算出される。こうすれば、送信バッファに蓄積されたパケットのデータ量と無線チャネルの伝送速度と伝送路の伝送速度とに基づいて、送信バッファが空になるタイミングを算出できるようになる。
【００１３】
また、本発明の一態様では、前記パケットフロー制御手段は、前記パケットフロー制御手段は、前記タイミング情報が所定値以上である少なくとも１つの送信バッファを選択し、該選択した送信バッファに係る移動局装置宛ての前記伝送路におけるパケットフローを制限する。こうすれば、空になるタイミングが遅いと予測される送信バッファに係る移動局装置宛てのパケットフローを制限することでき、他の送信バッファが空になるタイミングを遅らせることができるようになる。
【００１４】
また、本発明の一態様では、前記パケットフロー制御手段は、前記タイミング情報が最大である送信バッファを選択し、該選択した送信バッファに係る移動局装置宛ての前記伝送路におけるパケットフローを制限する。こうすれば、空になるタイミングが最も遅いと予測される送信バッファに係る移動局装置宛てのパケットフローを制限でき、他の送信バッファが空になるタイミングを遅らせることができるようになる。
【００１５】
また、本発明の一態様では、前記パケットフロー制御手段は、前記選択した送信バッファを除く少なくとも１つの送信バッファについて、前記蓄積データ量取得手段により取得されるデータ量が所定量以上となった場合に、前記パケットフローの制限を解除する。こうすれば、空になるタイミングを遅らせた送信バッファ内のデータ量が十分な量となった場合に、パケットフローの制限を解除して元の状態に戻すことができるようになる。
【発明を実施するための最良の形態】
【００１６】
以下、本発明の実施の形態を図面に基づいて説明する。図１は、本発明の実施の形態に係る移動体通信システム１０の全体構成を示す図である。同図に示すように、移動体通信システム１０は、通信ネットワーク１６に有線伝送路で接続される基地局装置１２と基地局装置１２と無線伝送路で接続される複数の移動局装置１４を含んで構成される。
【００１７】
図２は、基地局装置１２の機能ブロック図である。基地局装置１２は、制御部２０、無線通信部３０、送信バッファ４０及び回線インターフェース５０を含んで構成され、複数の移動局装置１４それぞれと無線信号の送受信を行うとともに、他の複数の基地局装置それぞれと回線インターフェース５０を介してパケットの送受信を行う。
【００１８】
制御部２０は、送信バッファ制御部２１、タイミング情報算出部２２、パケットフロー制御部２６及びタイマ制御部２７を含んで構成され、基地局装置１２全体の制御を行う。また、制御部２０は、ＣＰＵ及びメモリ等から構成される。なお、制御部２０内の各機能ブロックについては後に詳述する。
【００１９】
無線通信部３０は、アンテナ３２を備え、送信バッファ４０を介して回線インターフェース５０と接続されており、アンテナ３２で受信される各移動局装置１４からの信号を復調し、パケットを分離抽出等した後に回線インターフェース５０に出力する。また、無線通信部３０は、送信バッファ４０を介して回線インターフェース５０から入力される複数のパケットを多重等し、変調した信号をアンテナ３２を介して各移動局装置１４に対して送信する。
【００２０】
送信バッファ４０は、無線リソース（無線スロット等）毎に存在する。各送信バッファ４０は、無線通信部３０、回線インターフェース５０及び送信バッファ制御部２１とそれぞれ接続されている。各送信バッファ４０は、送信バッファ制御部２１からの指示に従って、回線インターフェース５０から入力される各移動局装置１４宛てのパケットを蓄積するとともに、蓄積されたパケットを無線通信部３０にそれぞれ出力する。なお、通信を行う各移動局装置１２には、少なくとも１つの無線リソースがそれぞれ割り当てられる。
【００２１】
回線インターフェース５０は、パケットフロー制御部２６、通信ネットワーク１６及び送信バッファ４０を介して無線通信部３０と接続され、通信ネットワーク１６から入力されるパケットを送信バッファ４０に出力する。また、無線通信部３０から入力される複数のパケットを、通信ネットワーク１６に出力する。後述するように、通信ネットワーク１６から入力されるパケットの流量は、パケットフロー制御部２６により必要に応じて制御される。
【００２２】
次に、制御部２０内の各機能ブロックについて説明する。
【００２３】
送信バッファ制御部２１は、送信バッファ４０、パケットフロー制御部２６、タイミング情報算出部２２と接続され、送信バッファ４０へのパケットの入出力を制御する。すなわち、パケットフロー制御部２６と連携をとりながら、回線インターフェース５０から入力されるパケットを送信バッファ４０に記憶させたり、送信バッファ４０に蓄積されたパケットを無線通信部３０に出力させたりする。また、タイミング情報算出部２１に対して、各送信バッファ４０に蓄積されたパケットのデータ量を出力する。
【００２４】
タイミング情報算出部２２は、送信バッファ制御部２１、パケットフロー制御部２６、タイマ制御部２７及び無線通信部３０と接続されている。また、タイミング情報算出部２２は、蓄積データ量取得部２３、無線送信速度取得部２４及び伝送路受信速度取得部２５を含んで構成され、各送信バッファ４０が空になるタイミングを示すタイミング情報を算出する。タイミング情報とは、例えば送信バッファ４０が空になるまでの時間等、送信バッファ４０が空になりにくい程度を示す情報である。タイミング情報は、蓄積データ量取得部２３により取得される各送信バッファ４０内のデータ量及びそのデータ量の変化速度に基づいて算出することができる。また、当該データ量の変化速度は、無線送信速度取得部２４により取得される各無線チャネルにおけるパケットの伝送速度と、伝送路受信速度取得部２５により取得される回線インターフェース５０を介して受信される各移動局装置宛てのパケットの伝送速度とに基づいて算出することもできる。なお、タイミング情報算出部２２は、タイマ制御部２７の指示に従って、上記タイミング情報の算出を定期的に行い、算出した各送信バッファ４０のタイミング情報をパケットフロー制御部２６に出力する。
【００２５】
蓄積データ量取得部２３は、送信バッファ制御部２１から各送信バッファ４０に蓄積されたパケットのデータ量を取得する。無線送信速度取得部２４は、無線通信部３０から各無線チャネルにおけるパケットの伝送速度を取得する。伝送路受信速度取得部２５は、パケットフロー制御部２６から回線インターフェース５０を介して受信される各移動局装置宛てのパケットの伝送速度を取得する。
【００２６】
パケットフロー制御部２６は、送信バッファ制御部２１、タイミング情報算出部２２、タイマ制御部２７及び回線インターフェース５０に接続され、タイミング情報算出部２２から定期的に入力される各送信バッファ４０のタイミング情報に基づいて、少なくとも１つの送信バッファ４０を選択し、当該送信バッファに係る移動局装置宛てのパケットフローを制御する。具体的には、各送信バッファ４０のタイミング情報に基づいて、蓄積データ量が減少している送信バッファ４０が存在するか否かを判定し、存在する場合には、空になるタイミングが早いと予測される送信バッファ４０を選択し、当該送信バッファに係る移動局装置宛てのパケットフローを加速する制御を行う。或いは、空になるタイミングが遅いと予測される送信バッファ４０を選択し、当該送信バッファに係る移動局装置宛てのパケットフローを制限する制御を行う。空になるタイミングが遅いか否かの判断は、例えば、空になるまでの時間が所定時間以上であるか否か、又は空になるまでの時間が最大であるか否か等に基づいて行うことできる。こうすれば、空になるタイミングが早いと予測される送信バッファ４０へのパケット流量を増加させることができ、当該送信バッファが空になるタイミングを遅らせることができる。
【００２７】
さらに、パケットフロー制御部２６は、パケット流量を増加させた送信バッファ４０内のデータ量が所定量以上になった場合に、パケットフローの制限を解除するようにしてもよい。こうすれば、パケット流量を増加させた送信バッファ４０内のデータ量が十分な量となった場合に、パケットフローの制限を解除して元の状態に戻すことができるようになる。なお、上記パケットフローの制限及びその解除は、パケットフロー制御部２６が、パケットの送出元である他の基地局装置１２に対して、パケットの送出量又は送信間隔を変更するように指示することにより行われる。
【００２８】
また、パケットフロー制御部２６は、蓄積データ量が多くバッファがあふれる（オーバーフローする）おそれのある送信バッファ４０に対しては、従来通り、当該送信バッファの蓄積データ量が所定量未満となるまで当該送信バッファに係る移動局装置宛てのパケットフローを制限することにより、当該送信バッファがあふれるのを防ぐ。
【００２９】
ここで、図８及び図３に基づいて、上記パケットフロー制御に係る処理を具体的に説明する。同図に示す基地局装置１２は、伝送速度が６４ｋｂｐｓであるＩＳＤＮ（Integrated Service Digital Network）回線のＢチャネルを使った有線伝送路を介して通信ネットワーク１６に接続されており、Ｘ．２５に基づくパケット通信を行っている。有線伝送路には各移動局装置１４へのパケットがそれぞれ１６ｋｂｐｓで均等に流れている。また、基地局装置１２は、４つの移動局装置１４Ａ，１４Ｂ，１４Ｃ，１４Ｄとそれぞれ伝送速度が３０ｋｂｐｓ，２８ｋｂｐｓ，２６ｋｂｐｓ，２６ｋｐｂｓである無線伝送路（無線チャネル）を介して通信を行っている。すなわち、同図に示す例では、各移動局装置１４に係るすべての通信において、有線伝送路の伝送速度が無線伝送路の伝送速度を下回っており、送信バッファ４０Ａ，４０Ｂ，４０Ｃ，４０Ｄ内のデータ量はそれぞれ１４ｋｂｐｓ，１２ｋｂｐｓ，１０ｋｂｐｓ，１０ｋｂｐｓの速度で減少している。この状態が持続すれば、蓄積データ量が少なくかつデータ量の減少速度が速い送信バッファ４０Ａが最も早く空になり、蓄積データ量が多くかつデータ量の減少速度が遅い送信バッファ４０Ｃ及び４０Ｄは空になるのが最も遅い。
【００３０】
図８に示す状態において、タイミング情報算出部２２は、各無線チャネルにおけるパケットの伝送速度と各移動局装置宛ての有線伝送路におけるパケットの伝送速度との差である各送信バッファ４０のデータ量の減少速度を取得し、当該データ量の減少速度と蓄積データ量取得部２３により取得される各送信バッファ４０内のデータ量とに基づいて、各送信バッファ４０が空になるまでの時間を算出する。パケットフロー制御部２６は、タイミング情報算出部２２から入力される時間が所定時間以上である送信バッファ４０Ｃ，４０Ｄを選択し、パケットの送出元である他の基地局装置１２に対して、選択した送信バッファ４０Ｃ，４０Ｄに係る移動局装置１４Ｃ，１４Ｄ宛ての有線伝送路におけるパケットフローを制限するように指示を出す。そうすると、図３に示すように、有線伝送路において、移動局装置１４Ｃ，１４Ｄ宛てのパケット送信が停止され、移動局装置１４Ａ，１４Ｂ宛てのパケットのみが流れるようになる。移動局装置１４Ａ，１４Ｂ宛てのパケットが有線伝送路上をそれぞれ３２ｋｂｐｓで均等に流れるとすれば、有線伝送路の伝送速度が無線伝送路の伝送速度を上回り、対応する送信バッファ３０Ａ，３０Ｂ内のデータ量はそれぞれ２ｋｂｐｓ，４ｋｂｐｓの速度で増加することになる。このようにすれば、送信バッファ３０Ａ，３０Ｂの蓄積データ量を増加させることができ、当該送信バッファが空になるタイミングを遅らせることができる。
【００３１】
次に、本発明の実施の形態に係るパケットフロー制御処理を、図４のフローチャートに基づいて説明する。図４に示す処理は、タイマ制御部２７の指示により定期的に起動される。
【００３２】
タイマ制御部２７の指示により、タイミング情報算出部２２は、各送信バッファ４０が空になるタイミングを示すタイミング情報を算出する。具体的には、蓄積データ量取得部２３が、送信バッファ制御部２１各送信バッファ４０に蓄積されたパケットのデータ量を取得する（Ｓ１００）。次に、無線送信速度取得部２４が、無線通信部３０から各無線チャネルにおけるパケットの伝送速度を取得する（Ｓ１０２）。また、伝送路受信速度取得部２５が、パケットフロー制御部２６から回線インターフェース５０を介して受信される各移動局装置宛てのパケットの伝送速度を取得する（Ｓ１０４）。タイミング情報算出部２２は、取得された各無線チャネルにおけるパケットの伝送速度と、回線インターフェース５０を介して受信される各移動局装置宛てのパケットの伝送速度とに基づいて各送信バッファ４０のデータ量の減少速度を算出する（Ｓ１０６）。そして、タイミング情報算出部２２は、当該データ量の減少速度と蓄積データ量取得部２３により取得される各送信バッファ４０内のデータ量とに基づいて、当該各送信バッファが空になるまでの時間（タイミング情報）を算出する（Ｓ１０８）。
【００３３】
Ｓ１１０において、パケットフロー制御部２６は、タイミング情報算出部２２から入力される各タイミング情報に基づいて、空になるまでの時間が短い送信バッファ４０が存在するか否かを判定する。そして、空になるまでの時間が短い送信バッファ４０が存在しなければ本処理は終了し、存在すれば当該送信バッファに係る移動局装置がデータ停止条件に該当する否かを判定する（Ｓ１１２）。ここで、データ停止条件とは、送信するデータが無くなったときに、すなわち送信バッファが空になったときに、当該移動局装置が他の移動局装置に通信権（無線リソースの割り当て）を譲渡するための条件をいう。Ｓ１１２において、空になるまでの時間が短い送信バッファ４０に係る移動局装置が上記データ停止条件に該当しない場合は、当該送信バッファが空になっても無線リソースの割り当てが変更されるおそれはないため本処理は終了する。逆に該当する場合は、当該送信バッファが空になることによる無線リソースの割当変更を防ぐためにＳ１１４の処理に移る。
【００３４】
Ｓ１１４において、パケットフロー制御部２６は、タイミング情報算出部２２から入力されるタイミング情報に基づいて、空になるまでの時間が長い、すなわち空になるまでの時間が所定時間以上である送信バッファ４０を選択し、当該送信バッファに係る移動局装置宛ての有線伝送路におけるパケットフローを停止する。当該パケットフローの停止は、Ｓ１１０において空になるまでの時間が短いと判定された送信バッファ内のデータ量が所定量以上となるまで継続される（Ｓ１１４，Ｓ１１６）。Ｓ１１６において、当該送信バッファ内のデータ量が所定量以上となると、本処理は終了する。
【００３５】
以上に述べた基地局装置及び基地局装置の制御方法によれば、通信中に送信バッファが空になることを防止し、無線リソースの割当変更頻度を減らすことができる。これにより、データ伝送のスループットを向上させることができる。
【００３６】
なお、本発明は、上記実施の形態に限定されるものではない。例えば、本発明は、多重接続の方式を問わず、複数の無線リソース及びそれに対応する複数の送信バッファを備えるあらゆる種類の基地局装置及び無線通信システムに適用可能である。また、基地局装置が、通信ネットワークと無線伝送路で接続される場合にも適用可能である。
【図面の簡単な説明】
【００３７】
【図１】本発明の実施の形態に係る移動体通信システムの構成図である。
【図２】本発明の実施の形態に係る基地局装置の機能ブロック図である。
【図３】有線伝送路におけるパケットフローを制限して送信バッファに蓄積されるパケットの量を調節する処理を示す図である。
【図４】パケットフローを制御する処理を説明するフローチャートである。
【図５】無線チャネルの伝送速度と有線伝送路の伝送速度と送信バッファに蓄積されるパケットのデータ量との間の関係を示す図である。
【図６】有線伝送路からのパケット供給が停止され、送信バッファが空となった場合を示す図である。
【図７】通信待ちの移動局装置に送信バッファが空となった無線スロットを割り当てる処理を示す図である。
【図８】有線伝送路の伝送速度が無線伝送路の伝送速度を下回る場合を示す図である。
【符号の説明】
【００３８】
１０  移動体通信システム、１２  基地局装置、１４  移動局装置、１６  通信ネットワーク、２０  制御部、２１  送信バッファ制御部、２２  タイミング情報算出部、２３  蓄積データ量取得部、２４  無線送信速度取得部、２５  伝送路受信速度取得部、２６  パケットフロー制御部、２７  タイマ制御部、３０  無線通信部、３２  アンテナ、４０  送信バッファ、５０  回線インターフェース。
【図１】
2007281541.tif 000003
【図２】
2007281541.tif 000004
【図３】
2007281541.tif 000005
【図４】
2007281541.tif 000006
【図５】
2007281541.tif 000007
【図６】
2007281541.tif 000008
【図７】
2007281541.tif 000009
【図８】
2007281541.tif 000010